(57)【要約】【課題】素早く取付けることが可能な多色温度シーリングライトを提供する。【解決手段】素早く取付けることが可能な多色温度シーリングライトは、シーリングライト本体と、シーリングライト本体の頂部に脱着可能に取り付けられる壁板とを含む。シーリングライト本体の外側面又は底面上には、色温度が調節可能な薄膜押しボタンが設けられる。シーリングライト本体は、ランプ体と、下から上方向へかけてランプ体上を覆うランププレートとを含む。ランプ体は、ランプ体後蓋１１、放熱ランププレート１３、出光モジュール、ＬＥＤ駆動器１４及びＬＥＤモジュール１５を含む。放熱ランププレート１３は、ランプ体後蓋１１の底部内側面上に取付けられる。ＬＥＤモジュール１５は、放熱ランププレート１３と出光モジュールとの間に取り付けられる。ＬＥＤ駆動器１４は、ＬＥＤモジュール１５に接続される。【選択図】図４
0003234305.tif 000002
【実用新案登録請求の範囲】
【請求項１】
素早く取付けることが可能な多色温度シーリングライトであって、
シーリングライト本体と、前記シーリングライト本体の頂部に脱着可能に取り付けられる壁板と、を含み、
前記シーリングライト本体の外側面又は底面上には、色温度が調節可能な薄膜押しボタンが設けられ、
前記シーリングライト本体は、ランプ体と、下から上方向へかけて前記ランプ体上を覆うランププレートと、を含み、
前記ランプ体は、ランプ体後蓋、放熱ランププレート、出光モジュール、ＬＥＤ駆動器及びＬＥＤモジュールを含み、
前記放熱ランププレートは、前記ランプ体後蓋の底部内側面上に取付けられ、
前記ＬＥＤモジュールは、前記放熱ランププレートと前記出光モジュールとの間に取り付けられ、前記ＬＥＤ駆動器は、前記ＬＥＤモジュールに接続されることを特徴とする、素早く取付けることが可能な多色温度シーリングライト。
【請求項２】
前記ランプ体後蓋の対をなす２つの外側面上には、回転軸及び係合体がそれぞれ設けられ、
前記壁板の両端には、装着孔及び押圧ブロックがそれぞれ設けられ、
前記回転軸は、前記装着孔内に挿設され、
前記係合体は、前記押圧ブロックを前記ランプ体後蓋上に圧着させて固定させることを特徴とする請求項１に記載の素早く取付けることが可能な多色温度シーリングライト。
【請求項３】
前記ランプ体後蓋の外側面には、２つ以上の傾斜突条体が設けられ、
前記傾斜突条体の底面は、斜めに延びるとともに、底面の位置が高い一端に係入口が形成され、
前記壁板の両端には、内方に延びた係合片が延設され、
２つの前記係合片は、対応した前記係入口から前記傾斜突条体の底部に係入されることを特徴とする請求項１に記載の素早く取付けることが可能な多色温度シーリングライト。
【請求項４】
前記ランプ体後蓋の外側面上には、複数のフックが設けられ、
前記ランププレートの内側面上には、複数の位置規制ブロックが設けられ、
前記位置規制ブロックの内側には、案内傾斜面が設けられ、
前記フックは、前記案内傾斜面に沿って下向きに、前記位置規制ブロックの底面上に係合されることを特徴とする請求項３に記載の素早く取付けることが可能な多色温度シーリングライト。
【請求項５】
前記傾斜突条体の最底端には、位置規制当て板が設けられ、
前記位置規制当て板は、前記係合片を位置拘束することを特徴とする請求項３に記載の素早く取付けることが可能な多色温度シーリングライト。
【請求項６】
前記ランプ体は、ランプ体前蓋を含み、
前記ランプ体前蓋は、下から上方向へかけて前記ランプ体後蓋上に取付けられ、
前記ランププレートは、前記ランプ体前蓋の外側に取付けられることを特徴とする請求項２又は３に記載の素早く取付けることが可能な多色温度シーリングライト。
【請求項７】
前記ランプ体前蓋の外表面上には、複数の係合突起部が設けられ、
前記係合突起部の頂面は、上斜め前方に傾斜して延び、
前記係合突起部の頂面の最低端には、係入口が形成され、
前記ランププレートの内側面上には、位置規制ピンが配設され、
前記位置規制ピンは、対応した前記係入口から前記係合突起部に係入されることを特徴とする請求項６に記載の素早く取付けることが可能な多色温度シーリングライト。
【請求項８】
前記係合突起部の頂面上には、２つ以上の位置規制突起部が設けられ、
前記位置規制突起部の横断面は、円弧形を呈し、
前記位置規制ピンは、必要に応じて対応した前記位置規制突起部に係合されることを特徴とする請求項７に記載の素早く取付けることが可能な多色温度シーリングライト。
【請求項９】
前記出光モジュールは、上から下方向にかけて順次配設された光反射板、導光板、ガラス板及び拡散板を含み、
前記拡散板の底部は、前記ランププレートの底部内側面上を支えることを特徴とする請求項１に記載の素早く取付けることが可能な多色温度シーリングライト。
【請求項１０】
前記ランプ体後蓋の頂部には、色温度調節ボタンが設けられることを特徴とする請求項１に記載の素早く取付けることが可能な多色温度シーリングライト。
【考案の詳細な説明】
【技術分野】
【０００１】
本考案は、シーリングライトに関するものである。
【背景技術】
【０００２】
人々のＬＥＤ照明の制御に対する要求は、ますます高くなっている。様々な雰囲気を醸し出すために、人々は色温度を調整して照明環境を個性的なものにしていた。そのため、多くのシーリングライトは色温度調整機能を備えていた。しかし、従来のシーリングライトは、着脱が面倒である上、色温度調節スイッチの大部分が駆動部材と一緒にシーリングライト内に設置されていたため、色温度を切換える場合、ランプカバーを取り外さなければならない上、シーリングライトが天井に取り付けられていたため、操作も不便であった。
【考案の概要】
【考案が解決しようとする課題】
【０００３】
従って、本考案の課題は、前記の如き従来技術の問題点を改善することが可能な素早く取付けることが可能な多色温度シーリングライトを提供することにある。
【課題を解決するための手段】
【０００４】
上記課題を解決するために、本考案の第１の形態によれば、素早く取付けることが可能な多色温度シーリングライトであって、シーリングライト本体と、前記シーリングライト本体の頂部に脱着可能に取り付けられる壁板と、を含み、前記シーリングライト本体の外側面又は底面上には、色温度が調節可能な薄膜押しボタンが設けられ、前記シーリングライト本体は、ランプ体と、下から上方向へかけて前記ランプ体上を覆うランププレートと、を含み、前記ランプ体は、ランプ体後蓋、放熱ランププレート、出光モジュール、ＬＥＤ駆動器及びＬＥＤモジュールを含み、前記放熱ランププレートは、前記ランプ体後蓋の底部内側面上に取付けられ、前記ＬＥＤモジュールは、前記放熱ランププレートと前記出光モジュールとの間に取り付けられ、前記ＬＥＤ駆動器は、前記ＬＥＤモジュールに接続されることを特徴とする、素早く取付けることが可能な多色温度シーリングライトを提供する。
【図面の簡単な説明】
【０００５】
【図１】本考案の第１実施形態に係る素早く取付けることが可能な多色温度シーリングライトを示す斜視図である。
【図２】図１のシーリングライトを示す分解斜視図である。
【図３】図２のランプ体を示す組立斜視図である。
【図４】図２のランプ体を示す分解斜視図である。
【図５】図１のシーリングライトを示す断面図である。
【図６】薄膜押しボタンが異なる位置に設けられた状態を示す説明図である。
【図７】本考案の第２実施形態に係る素早く取付けることが可能な多色温度シーリングライトを示す斜視図である。
【図８】図７のシーリングライトを示す分解斜視図である。
【考案を実施するための形態】
【０００６】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【０００７】
（第１実施形態）
図１〜図６を参照する。図１〜図６に示すように、本考案の第１実施形態に係る素早く取付けることが可能な多色温度シーリングライトは、ランプ体１０、壁板２０及びランププレート３０を含む。上述した壁板２０は、ランプ体１０の頂部に取り付けられる。上述したランププレート３０は、下から上方向へかけてランプ体１０上を覆う。実際に取り付ける際、まず、壁板２０を天井上又は壁面上に取り付けてから、ランプ体１０の一側を壁板２０上に掛設し、ランプ体１０の他側を上方へ押付けて壁板２０上に係合した後、ランププレート３０をランプ体１０上に取り付ける。
【０００８】
上述したランプ体１０は、ランプ体後蓋１１、ランプ体前蓋１２、放熱ランププレート１３、出光モジュール、ＬＥＤ駆動器１４及びＬＥＤモジュール１５を含む。上述したランプ体前蓋１２は、下から上方向へかけてランプ体後蓋１１上に取り付けられる。放熱ランププレート１３は、ランプ体後蓋１１底部の内側面上に取り付けられる。上述したＬＥＤモジュール１５は、放熱ランププレート１３と出光モジュールとの間に取り付けられる。
【０００９】
上述したランプ体後蓋１１の外側面上には、壁板２０の両端に取付けられた第１の取付部及び第２の取付部が設けられる。上述した第１の取付部上には、回転軸１１１が配設される。２つの取付部上には、係合体１１２が配設される。係合体１１２は、回転軸１１５を介してランプ体後蓋１１上に取付けられ、回転軸に沿って回転可能である。上述した係合体１１２の底部には、係合口１１３が形成される。上述した壁板２０は、一端に装着孔２１が形成され、他端に押圧ブロック２２が設けられる。上述した回転軸１１１は、装着孔２１内に挿設される。上述した係合体１１２は、ランプ体後蓋１１上に係合され、押圧ブロック２２が係合体１１２底部の係合口１１３内に圧着され、壁板２０にランプ体１０が取付けられる。
【００１０】
上述したランプ体前蓋１２及びランプ体後蓋１１は、係止孔、嵌合溝を介して互いに連結固定される。ランプ体前蓋１２の外表面上には、複数の係合突起部１２１が設けられる。係合突起部１２１の頂面は、上斜め前方に傾斜して延びている。上述した係合突起部１２１の頂面の最低端の一側は係入側である。この係入側には、係入口１２２が形成される。上述した係合突起部１２１の頂面上には、２つ以上の位置規制突起部１２３が設けられる。位置規制突起部１２３の横断面は、円弧形を呈する。上述したランププレート３０の内側面上には、位置規制ピン３１が配設される。実際に取付ける際、ランププレート３０を押上げて回転させると、上述した位置規制ピン３１が、対応した係入口１２２の一側から係合突起部１２１に係入され、２つ目又は３つ目以降の位置規制突起部１２３に上向きに回転されてランププレート３０が緩められると、ランププレート３０がランプ体１０に装着される。
【００１１】
上述したランプ体前蓋１２及びランププレート３０の底部には、中心に向かって延びた凸縁１２４（３２）が延設されている。上述した凸縁１２４（３２）は、出光モジュールを支えて位置拘束する。上述した出光モジュールは、上から下方向にかけて順次配設された光反射板１６、導光板１７、ガラス板１８及び拡散板１９を含む。また、上述したランプ体後蓋１１の頂部には、色温度調節ボタン１１４が設けられる。ランププレート３０の外側面又は底端面上には、薄膜押しボタン３３が設けられているため、ランプカバーを取り外して色温度を調整する必要が無く、操作が容易である。
【００１２】
（第２実施形態）
図７及び図８を参照する。図７及び図８に示すように、本考案の第２実施形態に係る素早く取付けることが可能な多色温度シーリングライトは、基本的に第１実施形態と同じ構造を有するが、ランプ体後蓋１１ａと壁板２０ａ、ランプ体後蓋１１ａとランププレート３０ａとの取付け方式は異なる。上述したランプ体後蓋１１ａの外側面上には、２つ以上の傾斜突条体１１１ａが設けられる。上述した傾斜突条体１１１ａの底面は、斜めに延びるとともに、その底面位置の高い一端には係入口１１２ａが形成される。上述した壁板２０ａの両端には、内方に延びた係合片２１ａが延設される。実際に取付ける際、壁板２０ａの２つの係合片２１ａは、対応した係入口１１２ａから傾斜突条体１１１ａの下方へ係合され、回転されて傾斜突条体１１１ａの最底端に係入される。また、傾斜突条体１１１ａの最底端には、位置規制当て板１１３ａが設けられる。位置規制当て板１１３ａは、係合片２１ａを位置拘束する。
【００１３】
上述したランプ体後蓋１１ａの外側面上には、複数のフック１１４ａが設けられる。上述したランププレート３０ａの内側面上には、複数の位置規制ブロック３１ａが対応して設けられる。上述した位置規制ブロック３１ａの内側には、案内傾斜面３１１ａが設けられる。案内傾斜面３１１ａは、外側から内側にかけて斜め前方に傾斜して延びる。上述したフック１１４ａは、案内傾斜面３１１ａに沿って下向きに、位置規制ブロック３１ａの底面上に係合される。
【００１４】
上述したことから分かるように、本考案の素早く取付けることが可能な多色温度シーリングライトは、壁板、ランプ体及びランププレートを含み、壁板及びランプ体は、着脱自在に回転方式、係合方式により互いに装着され、ランププレート及びランプ体は、着脱可能な方式で互いに取付けられているため、シーリングライト全体の着脱が容易である。また、シーリングライトを着脱しなくても、ランプ体の側面及び底端面に設けられた薄膜押しボタンにより、色温度の調節が可能な上、色温度調節の操作も容易である。
【符号の説明】
【００１５】
１０  ランプ体
１１  ランプ体後蓋
１１ａ  ランプ体後蓋
１２  ランプ体前蓋
１３  放熱ランププレート
１４  ＬＥＤ駆動器
１５  ＬＥＤモジュール
１６  光反射板
１７  導光板
１８  ガラス板
１９  拡散板
２０  壁板
２０ａ  壁板
２１  装着孔
２１ａ  係合片
２２  押圧ブロック
３０  ランププレート
３０ａ  ランププレート
３１  位置規制ピン
３１ａ  位置規制ブロック
３２  凸縁
３３  薄膜押しボタン
１１１  回転軸
１１１ａ  傾斜突条体
１１２  係合体
１１２ａ  係入口
１１３  係合口
１１３ａ  位置規制当て板
１１４  色温度調節ボタン
１１４ａ  フック
１１５  回転軸
１２１  係合突起部
１２２  係入口
１２３  位置規制突起部
１２４  凸縁
３１１ａ  案内傾斜面
【図１】
0003234305.tif 000003
【図２】
0003234305.tif 000004
【図３】
0003234305.tif 000005
【図４】
0003234305.tif 000006
【図５】
0003234305.tif 000007
【図６】
0003234305.tif 000008
【図７】
0003234305.tif 000009
【図８】
0003234305.tif 000010